(57)【要約】【課題】  タッチパネルに対する誤入力を良好に防止することができ、多様な入力操作を可能とするタッチパネル用シート及び情報端末を提供する。【解決手段】  シート１００の突出部１０２に、指に掛けるための指掛け部１０４が複数設けられており、タッチペンを通すためのペン穴１０６が設けられている。使用者は、親指と人差し指に指掛け部１０４を掛けるとともに、入力用のタッチペン１２２をペン穴１０６に通して親指と人差し指で挟むようにする。そして、シート１００の本体を手の平（特に小指球）側に回して、タブレット１２０と手の平（特に小指球）との間にシート１００を挟むようにする。この状態で、タッチペン１２２でタブレット１２０のタッチパネル１２４にタッチし、入力作業を行う。タッチペン１２２以外の部分は、手とタッチパネル１２４との間にシート１００が挟まれているため、誤入力が良好に防止される。【選択図】図１
2020204850.tif 000002
【特許請求の範囲】
【請求項１】
タッチパネルにおける誤入力を防ぐためのタッチパネル用シートであって、
前記タッチパネルと手の小指球との間に挟まれるシート本体と、
該シート本体の突出部に設けられており、前記タッチパネルの入力用のタッチペンを通すペン穴と、
を備えており、
親指と人差し指でシート本体の突出部を挟み込むとともに、前記ペン穴にタッチペンを通して親指と人差し指で挟み、前記シート本体を手の小指球側に折り曲げるようにしたことを特徴とするタッチパネル用シート。
【請求項２】
タッチパネルにおける誤入力を防ぐためのタッチパネル用シートであって、
前記タッチパネルと手の小指球との間に挟まれるシート本体と、
該シート本体の突出部に設けられており、親指と人差し指を掛けるための指掛け部と、
を備えており、
前記指掛け部に親指と人差し指を掛けた状態で、前記シート本体を手の小指球側に折り曲げるようにしたことを特徴とするタッチパネル用シート。
【請求項３】
前記タッチパネルの入力用のタッチペンのペン穴を設けたことを特徴とする請求項２記載のタッチパネル用シート。
【請求項４】
タッチパネルにおける誤入力を防ぐためのタッチパネル用シートであって、
前記タッチパネル面を覆う表面と、
前記タッチパネルの裏面を覆う裏面と、
シート本体を折り曲げて、前記表面と裏面を得る折り曲げ部と、
を備えており、
前記タッチパネル上の入力領域に対応する入力窓を、前記表面に形成したことを特徴とするタッチパネル用シート。
【請求項５】
前記裏面に切欠き部を設けたことを特徴とする請求項４記載のタッチパネル用シート。
【請求項６】
前記タッチパネルを有する情報端末がケースを備えている場合に、前記裏面を、前記ケースと前記情報端末との間に折り込んだことを特徴とする請求項４又は５記載のタッチパネル用シート。
【請求項７】
タッチパネルにおける誤入力を防ぐためのタッチパネル用シートであって、
前記タッチパネル面を覆う面に、前記タッチパネル上の入力領域に対応する入力窓を形成したことを特徴とするタッチパネル用シート。
【請求項８】
前記タッチパネルが、タブレット，スマートフォン，ノートパソコンのディスプレイ画面に設けられていることを特徴とする請求項１〜７のいずれか一項に記載のタッチパネル用シート。
【請求項９】
請求項１〜８のいずれか一項に記載のタッチパネル用シートを着脱自在に備えたことを特徴とする情報端末。
【発明の詳細な説明】
【技術分野】
【０００１】
本発明は、タブレットなどのタッチパネルに使用するタッチパネル用シートに関する。
【背景技術】
【０００２】
タッチパネルは、タブレット，スマートフォン，ノートパソコンなどの各種情報端末のディスプレイとして広く普及している。昨今は、書類の代わりにタッチパネル上でサインをするなど、多方面で利用されている。
【０００３】
ところで、タッチパネルでサインなどの筆記入力操作を行う場合に、手の小指球などがパネル画面に当たって誤入力が生ずることがある。このような不都合を防ぐ方法として、パームリジェクションや筆圧感知機能などがあるが、事前にソフトをインストールしたり、感知機能調整を行う必要がある。
【０００４】
これに対し、下記特許文献１には、タッチパネルを有する入力装置での誤入力の発生を減らすことを目的とした「電子機器およびガイドカバー」が開示されており、ガイドカバーは、タッチパネルに対して着脱可能であって、ガイド切欠部が形成されたプレート部と、プレート部から延びる脚部とを有しており、ガイド切欠部が表示装置の画面の所定位置を覆うように構成されている。下記特許文献２には、通常のタッチパネルを操作できない人でも容易に操作できることを目的としたタッチパネル入力装置が開示されており、タッチパネル入力装置にガイド孔部が開設された透明なガイドプレートを装着することで、ガイド孔部から入力操作を行うようになっている。
【先行技術文献】
【特許文献】
【０００５】
【特許文献１】特開2015-153263号公報
【特許文献２】特開2006-244030号公報
【発明の概要】
【発明が解決しようとする課題】
【０００６】
しかしながら、上述した従来技術は、切欠部などにおいてソフトボタンを押すような場合を想定しており、サインなど文字などを入力するといった作業には不向きである。右手，左手のいずれで入力するかといった課題もある。
【０００７】
本発明は、以上の点に着目したもので、タッチパネルに対する誤入力を良好に防止することができ、多様な入力操作を可能とするタッチパネル用シート及び情報端末を提供することを、その目的とする。
【課題を解決するための手段】
【０００８】
本発明のタッチパネル用シートは、タッチパネルにおける誤入力を防ぐためのタッチパネル用シートであって、前記タッチパネルと手の小指球との間に挟まれるシート本体と、該シート本体の突出部に設けられており、前記タッチパネルの入力用のタッチペンを通すペン穴と、を備えており、親指と人差し指でシート本体の突出部を挟み込むとともに、前記ペン穴にタッチペンを通して親指と人差し指で挟み、前記シート本体を手の小指球側に折り曲げるようにしたことを特徴とする。
【０００９】
他の発明のタッチパネル用シートは、タッチパネルにおける誤入力を防ぐためのタッチパネル用シートであって、前記タッチパネルと手の小指球との間に挟まれるシート本体と、該シート本体の突出部に設けられており、親指と人差し指を掛けるための指掛け部とを備えており、前記指掛け部に親指と人差し指を掛けた状態で、前記シート本体を手の小指球側に折り曲げるようにしたことを特徴とする。主要な形態の一つによれば、前記タッチパネルの入力用のタッチペンのペン穴を設けたことを特徴とする。
【００１０】
本発明の更に他のタッチパネル用シートは、タッチパネルにおける誤入力を防ぐためのタッチパネル用シートであって、前記タッチパネル面を覆う表面と、前記タッチパネルの裏面を覆う裏面と、シート本体を折り曲げて、前記表面と裏面を得る折り曲げ部とを備えており、前記タッチパネル上の入力領域に対応する入力窓を、前記表面に形成したことを特徴とする。主要な形態の一つによれば、前記裏面に切欠き部を設けたことを特徴とする。あるいは、前記タッチパネルを有する情報端末がケースを備えている場合に、前記裏面を、前記ケースと前記情報端末との間に折り込んだことを特徴とする。
【００１１】
本発明の更に他のタッチパネル用シートは、タッチパネルにおける誤入力を防ぐためのタッチパネル用シートであって、前記タッチパネル面を覆う面に、前記タッチパネル上の入力領域に対応する入力窓を形成したことを特徴とする。
【００１２】
本発明の更に他のタッチパネル用シートは、前記タッチパネルが、タブレット，スマートフォン，ノートパソコンのディスプレイ画面に設けられていることを特徴とする。
【００１３】
本発明の情報端末は、前記いずれかのタッチパネル用シートを着脱自在に備えたことを特徴とする。本発明の前記及び他の目的，特徴，利点は、以下の詳細な説明及び添付図面から明瞭になろう。
【発明の効果】
【００１４】
本発明によれば、タッチパネルと手の小指球との間に挟まれるシート本体と、該シート本体の突出部に設けられており、親指と人差し指を掛けるための指掛け部と、を備えており、前記指掛け部に親指と人差し指を掛けた状態で、前記シート本体を手の小指球側に折り曲げるようにしたので、タッチパネルにおける誤入力を良好に防止することができ、サインなど多様な入力も可能となる。
【図面の簡単な説明】
【００１５】
【図１】本発明の実施例１を示す図である。
【図２】本発明の実施例２を示す図である。
【図３】本発明の実施例３を示す図である。
【図４】本発明の実施例４を示す図である。
【図５】本発明の実施例５を示す図である。
【図６】本発明の実施例６を示す図である。
【発明を実施するための形態】
【００１６】
以下、本発明を実施するための最良の形態を、実施例に基づいて詳細に説明する。
【実施例１】
【００１７】
図１(A)には、本発明の一実施例にかかるタッチパネル用シート（以下単に「シート」という）１００は、シート本体が略正方形であって、角が丸みを帯びた形状となっている。そして、シート本体の一つの突出部ないし角部１０２に、指に掛けるための指掛け部１０４が複数設けられており、更に、タッチペンを通すためのペン穴１０６が設けられている。
【００１８】
一方、電子機器、特にタブレットなどの情報端末のタッチパネルとしては、抵抗膜方式や静電容量方式が広く普及しているが、抵抗膜方式の場合は、抵抗値の変化を抑えることで誤入力を防止することができる。従って、シート１００としては、比較的変形しにくいものが好適である。例えば、比較的硬い材質のものを使用するか、柔らかい材料を使用する場合は厚みを増すようにする。一方、静電容量方式の場合は、静電容量の変化を抑えることで誤入力を防止することができる。従って、シート１００としては、高誘電率ないし高絶縁性のものが好適である。また、これらの性質、すなわち、変形しにくく、かつ、絶縁性が高いものを使用すれば、抵抗膜方式及び静電容量方式のいずれのタイプのタッチパネルにも適用可能なシート１００とすることができる。
【００１９】
シート１００の具体的な素材としては、例えば、発泡樹脂シート（発泡ゴムシートも含む），樹脂シート（ゴムシートも含む），フエルトシートなどが適用可能である。また、シート１００の表面に、凹凸などの表面処理を施すようにしてもよい。凹凸を施すと、手がシート１００にべとつかず、滑らかになるといった利点もある。
【００２０】
一例を示すと、
(1)オレフィン系エラストマシート：厚み1.2ｍｍ×縦160ｍｍ×横160ｍｍ
(2)ポリエチレン発泡シート：厚み0.5ｍｍ×縦160ｍｍ×横160ｍｍ
を使用し、これに、２つの指掛け部１０４とペン穴１０６を形成する。
【００２１】
図１(B)には、使用状態の一例が示されており、使用者は、親指と人差し指に指掛け部１０４を掛けるとともに、入力用のタッチペン１２２をペン穴１０６に通して親指と人差し指で挟むようにする。そして、シート１００の本体を手の平（特に小指球）側に回して、タブレット１２０と手の平（特に小指球）との間にシート１００を挟むようにする。この状態で、タッチペン１２２でタブレット１２０のタッチパネル１２４にタッチし、入力作業を行う。タッチペン１２２以外の部分は、手とタッチパネル１２４との間にシート１００が挟まれているため、誤入力が良好に防止されるようになる。同図(C)は、タッチペン１２２の代わりに人差し指でタッチパネル１２４に触れて入力を行う場合である。
【００２２】
このように、本実施例によれば、シート１００に指掛け部１０４を設け、これに指を掛けるとともに、タッチパネル１２４との間にシート１００の本体が挟まれるようにしたので、手の小指球がタッチパネル１２４に触れることによる誤入力を良好に防止することができる。また、親指や人差し指を使用することで、タッチペン１２２を持ったり、指で名前をサインしたり、ソフトスイッチを押したりなど、多様な入力操作が可能となる。
【実施例２】
【００２３】
次に、図２を参照しながら、本発明の実施例２について説明する。同図(A)のシート２００は、上述したシート１００の指掛け部１０４にスリット２０２を設け、ペン穴１０２にスリット２０４を設けたものである。スリット２０２を開いて指を通すようにすると、簡単に指を指掛け部１０４に掛けることができる。タッチペン１２２も同様で、スリット２０４を通すようにすると、簡単にペン穴１０６にタッチペン１２２を通すことができる。
【００２４】
同図(B)のシート２１０は、前記(A)の例におけるスリット２０２を大きく幅広とした開口２１２を設けた例である。本例では、反対側にペン穴２１４が設けられている。同図(C)のシート２２０は、全体が雨滴のような形状となっており、突出部に、二つの指掛け部２２２と、ペン穴２２４が設けられた例である。本例では、指掛け部２２２は、円から多少ずれた形状となっている。
【００２５】
同図(D)のシート２３０は、全体がイカのような形状となっており、頭の部分に指掛け部２３２が２つ設けられており、反対側にペン穴２３４が設けられている。同図(B))の例における開口２１２を更に広くしたと考えることもできる。同図(E)のシート２４０は、同図(D)のシート２３０の頭部に長穴２４２を設けるとともに、反対側に波形状２４４を設けた例で、タコを思わせるような形状となっている。
【００２６】
以上のいずれであっても、指掛け部に指を掛けるとともに、シートをタッチパネルと手との間に挟み込むことで、良好に誤入力を防止することができる。なお、ペン穴２１４，２３４については、後述する実施例６で説明する。
【実施例３】
【００２７】
次に、図３を参照しながら、本発明の実施例３について説明する。前記実施例は、手に付けて使用する場合であるが、本実施例は、タブレット側に付けて使用する例である。図３(A)には、本実施例のシート３００の全体が示されており、四角形で、折り曲げ部３０２が設けられており、この折り曲げ部３０２で折り曲げて表面３０４と裏面３０６になる。表面３０４には、入力窓（切欠き部）３０８が設けられている。この入力窓３０８は、タッチパネルにおける表示画面の入力を行う領域、例えばサインを行う領域に対応して設けられる。
【００２８】
図３(B)には、前記シート３００をタブレット３２０に取り付けた様子が示されている。前記シート３００は、折り曲げ部３０２で折り曲げられ、表面３０４がタブレット３２０のタッチパネル３２４を覆うようになる。この状態で、使用者は、同図(C)に示すように、タッチペン３２２を使用して、入力窓３０８内において、名前のサインなどの入力を行う。このとき、手の小指球は、シート３００を介してタッチパネル３２４に接することとなり、誤入力は良好に防止されるようになる。また、手をシート３００上に置いてタッチペン３２２を操作することができるので、ペン先が安定し、綺麗にサインすることができる。
【００２９】
なお、タブレット３２０にカバーが取り付けられている場合もある。この場合は、タブレット３２０とカバーとの間にシート３００の裏面を折り込むようにすればよい（後述する図５(A-2)参照）。
【実施例４】
【００３０】
次に、図４を参照しながら、本発明の実施例４について説明する。この実施例は、上述した実施例３の変形例である。同図(A)のシート４００は、折り曲げ部４０２で折り曲げて表面４０４と裏面４０６となり、表面４０４には、入力窓４０８及び４１０が設けられている。タブレット３２０の入力画面によっては、入力が必要な個所が複数の場合もあるので、それら入力箇所に対応して、複数の入力窓４０８，４１０を設けている。
【００３１】
同図(B)のシート４２０は、折り曲げ部４２２で折り曲げて表面４２４と裏面４２６となり、表面４２４には入力窓４２８が設けられており、裏面４２６には切欠き部４３０，４３２が設けられている。切欠き部４３０，４３２は、例えばタブレットの裏面側にカメラなどのデバイスがあるときに、それらの機能を阻害しないようにするためのものである（以下の例についても同様）。
【００３２】
同図(C)のシート４４０は、同図(B)の変形例で、折り曲げ部４４２で折り曲げて表面４４４と裏面４４６となり、表面４４４には入力窓４４８，タブ４４９が設けられており、裏面４４６には切欠き部４５０，４５２，４５４が設けられている。なお、タブ４４９は、シート４４０をタッチパネル面から剥がしやすくするためのものである。同図(D)のシート４６０は、折り曲げ部４６２で折り曲げて表面４６４と裏面４６６となり、表面４６４には入力窓４６８が設けられており、裏面４６６には切欠き部４７０が設けられている。
【００３３】
本実施例においても、タブレットにカバーが取り付けられている場合は、タブレットとカバーとの間にシート４００等の裏面４０６等を挟み込むようにする。
【実施例５】
【００３４】
次に、図５を参照しながら、本発明の実施例５について説明する。同図(A-1)のシート５００は、スマートフォン用のシートの例で、折り曲げ部５０２で折り曲げて表面５０４と裏面５０６となり、表面５０４には、入力窓５０８が設けられている。裏面５０６は、先端に向かって幅が狭くなっており、同図(A-2)に示すように、スマートフォン５５０とカバー５５２の間に裏面５０６が折り込まれている。そして、表面５０４は、スマートフォン５５０のタッチパネル５５４の上に被せされる。
【００３５】
同図(B-1)のシート５１０は、折り曲げ部５１２で折り曲げて表面５１４と裏面５１６となり、表面５１４には、入力窓５１８が設けられている。そして、同図(B-2)に示すように、ノートパソコン５６０のタッチパネル５６２に掛けるようにして使用する。同図(C-1)のシート５２０は、折り曲げ部はなく、表面５２２のみとなっており、入力窓５２４が設けられている。そして、同図(C-2)に示すように、タブレット５７０のタッチパネル５７２上に置いて使用する。
【実施例６】
【００３６】
次に、図６を参照しながら、本発明の実施例６について説明する。同図(A)に示すように、本実施例のシート６００は、全体が正方形となっており、角を取って丸くしている。そして、一つの突出部に、ペン穴６０２を設けている。このペン穴は、上述したペン穴２１４，２３４と同様である。この例は、上述した図１の実施例１と比較して、指掛け部１０４を省略した例である。
【００３７】
同図(B)には、使用状態が示されており、使用者は、親指と人差し指でシート６００の突出部を挟み込むとともに、入力用のタッチペン６１４をペン穴６０２に通して親指と人差し指で挟むようにする。そして、シート６００の本体を手の平側に回して、タブレット６１０と手の平（特に小指球）との間にシート６００を挟むようにする。この状態で、タッチペン６１４でタブレット６１０のタッチパネル６１２にタッチし、入力作業を行う。タッチペン６１４以外の部分は、手とタッチパネル６１２との間にシート６００が挟まれているため、誤入力が良好に防止されるようになる。
【００３８】
なお、本発明は、上述した実施例に限定されるものではなく、本発明の要旨を逸脱しない範囲内において種々変更を加えることができる。例えば、以下のものも含まれる。
(1)前記実施例で示した形状は一例であり、各種の形状としてよい。また、前記実施例を組み合わせてもよい。
(2)前記シートに、曲げやすくするための軟化剤，清潔に保つための抗菌剤ないし防カビ剤，消臭剤などを混入するようにしてもよい。また、シートを、異なる材料によるシートないしフィルムの積層構造としてもよい。
(3)前記シートとしては、透明とすると、タッチパネル上における表示が見やすく、便利であるが、着色することを妨げるものではない。キャラクタなどを表示するようにしてもよい。
(4)入力するための窓の形状，個数は、必要に応じて適宜設定してよい。
(5)前記実施例は、シートを折り曲げるようにしたが、袋状にして、タッチパネルに被せるようにしてもよい。
【産業上の利用可能性】
【００３９】
本発明によれば、タッチパネルと手の小指球との間に挟まれるシート本体と、該シート本体の突出部に設けられており、親指と人差し指を掛けるための指掛け部と、を備えており、前記指掛け部に親指と人差し指を掛けた状態で、前記シート本体を手の小指球側に折り曲げるようにしたので、タッチパネルにおける誤入力を良好に防止することができ、サインなど多様な入力も可能となるので、各種情報端末に好適である。
【符号の説明】
【００４０】
１００：シート
１０２：角部
１０４：指掛け部
１０６：ペン穴
１２０：タブレット
１２２：タッチペン
１２４：タッチパネル
２００：シート
２０２：スリット
２０４：スリット
２１０：シート
２１２：開口
２１４：ペン穴
２２０：シート
２２２：指掛け部
２２４：ペン穴
２３０：シート
２３２：指掛け部
２３４：ペン穴
２４０：シート
２４２：長穴
２４４：波形状
３００：シート
３０２：折り曲げ部
３０４：表面
３０６：裏面
３０８：入力窓
３２０：タブレット
３２２：タッチペン
３２４：タッチパネル
４００：シート
４０２：折り曲げ部
４０４：表面
４０６：裏面
４０８，４１０：入力窓
４２０：シート
４２２：折り曲げ部
４２４：表面
４２６：裏面
４２８：入力窓
４３０，４３２：切欠き部
４４０：シート
４４２：折り曲げ部
４４４：表面
４４６：裏面
４４８：入力窓
４４９：タブ
４５０，４５２，４５４：切欠き部
４６０：シート
４６２：折り曲げ部
４６４：表面
４６６：裏面
４６８：入力窓
４７０：切欠き部
５００：シート
５０２：折り曲げ部
５０４：表面
５０６：裏面
５０８：入力窓
５１０：シート
５１２：折り曲げ部
５１４：表面
５１６：裏面
５１８：入力窓
５２０：シート
５２２：表面
５２４：入力窓
５５０：スマートフォン
５５２：カバー
５５４：タッチパネル
５６０：ノートパソコン
５６２：タッチパネル
５７０：タブレット
５７２：タッチパネル
６００：シート
６０２：ペン穴
６１０：タブレット
６１２：タッチパネル
６１４：タッチペン
【図１】
2020204850.tif 000003
【図２】
2020204850.tif 000004
【図３】
2020204850.tif 000005
【図４】
2020204850.tif 000006
【図５】
2020204850.tif 000007
【図６】
2020204850.tif 000008